(57)【要約】【課題】少ない部品数で、且つ製造が容易であり、しかも、高い強度が得られる錠ケースの構造を提供する。【解決手段】扉の表裏面に一対の側板部４７，４９が平行となって扉の内方に固定される錠ケース１１と、側板部４７，４９を前板部から後板部４３に渡ってケース内側に向け凹ませて形成した溝状凹部１７と、操作部材の外筒部５７において後端部５９を直径方向両端側に突出させた一対の凸部１９と、溝状凹部１７に外筒部５７の各凸部１９を進入させるために溝状凹部内壁６９の両側を切り欠いた一対の凸部進入切欠２１と、溝状凹部内壁６９のケース内側となる溝状凹部内壁背面２３と、前板部に穿設されるピン挿入穴２５と、凸部１９に穿設され溝状凹部内壁背面２３に沿うピン７１が貫通するピン貫通固定穴２７と、溝状凹部内壁６９を切り起こして形成され溝状凹部内壁背面２３とでピン７１を挟むピンガイド片２９と、を設けた。【選択図】  図２
2015194018.tif 000002
【特許請求の範囲】
【請求項１】
扉の木口に前板部と後板部が平行となり、前記扉の表裏面に一対の側板部が平行となって前記扉の内方に固定される錠ケースと、
少なくとも一方の前記側板部を前記前板部から前記後板部に渡ってケース外側からケース内側に向け凹ませて形成した溝状凹部と、
操作部材の外筒部において軸線方向一端側となる後端部で直径方向両端側に突出する一対の凸部と、
前記溝状凹部に形成され、前記外筒部の前記各凸部を進入させるために溝状凹部内壁の両側を切り欠いた一対の凸部進入切欠と、
前記溝状凹部内壁のケース内側となる溝状凹部内壁背面と、
前記溝状凹部内壁背面の延長上で前記前板部に穿設されるピン挿入穴と、
前記凸部進入切欠に挿入される前記凸部に穿設され、前記ピン挿入穴に挿入されて前記溝状凹部内壁背面に沿うピンが貫通するピン貫通固定穴と、
を具備することを特徴とする錠ケースの構造。
【請求項２】
請求項１記載の錠ケースの構造であって、
前記溝状凹部内壁を切り起こして形成され、前記溝状凹部内壁背面とで前記ピンを挟むピンガイド片が具備されることを特徴とする錠ケースの構造。
【請求項３】
請求項１または２記載の錠ケースの構造であって、
一対の前記溝状凹部内壁背面のそれぞれに沿って挿入された一対の前記ピンの先端部を相互に離反方向に撓める乗り上げ段部が、前記ケース内側における前記後板部側に設けられることを特徴とする錠ケースの構造。
【発明の詳細な説明】
【技術分野】
【０００１】
本発明は、錠装置などの錠ケースの構造に関する。
【背景技術】
【０００２】
従来、錠装置などの錠箱に対する操作部材の取付け構造は、ケース身とは別個に成型された任意形状の位置決め案内片を、ケース身の幅広側壁に形成した縦方向係合孔に予め係合させ、この位置決め案内片がケース身の幅広側壁から外れないような係合状態にした上で、挿入固定ピンをケース身の前壁の小孔から位置決め案内片に形成した上下のガイド小孔およびシリンダーユニットの外筒の係合部に突き刺していた（特許文献１参照）。ところが、従来の錠箱に対する操作部材の取付け構造は、組立部品点数が多いために、錠箱に対する操作部材の取付け作業に時間がかかる問題点や、錠箱自体がコスト高になるという問題点を有していた。そこで、同文献には、錠箱に操作部材を短時間で取付けることができ、錠箱のコストが低減できる操作部材の取付け構造が開示されている。
【０００３】
この操作部材の取付け構造は、錠箱と、この錠箱の幅広側壁に固定的に装着される少なくとも１個の操作部材と、この操作部材を錠箱に固定的に装着するための複数本の細長状挿入固定ピンとから成る。錠箱の幅広側壁は、縦断面上、ケース身の内側に小突起状にそれぞれ上下に対向的に張り出し形成された複数個の小突起部を有する。これらの小突起部の外側湾曲面は、合計２本の挿入固定ピンの通過をそれぞれ許容する案内通路を構成する。これにより、錠箱に操作部材を短時間で取り付けることを可能とし、また錠箱のコストを低減することが図られている。
【先行技術文献】
【特許文献】
【０００４】
【特許文献１】特開２００２−２５６７３３号公報
【発明の概要】
【発明が解決しようとする課題】
【０００５】
しかしながら、上記した従来の操作部材の取付け構造は、平板状の幅広側壁に、幅広側壁の内壁面から突出するようにプレスで成形された２個の固定ピン用位置決め案内部や、嵌合孔、ダルマ用受け孔が形成されるため、切欠損失が大きくなり、側板部の強度が低下しやすかった。また、ピンと操作部材とに間隙が存在すると、固定後の操作部材にがたつきが生じた。
【０００６】
本発明は上記状況に鑑みてなされたもので、その目的は、少ない部品数で、且つ製造が容易であり、しかも、高い強度が得られる錠ケースの構造を提供することにある。
【課題を解決するための手段】
【０００７】
次に、上記の課題を解決するための手段を、実施の形態に対応する図面を参照して説明する。
本発明の請求項１記載の錠ケース１１の構造は、扉１５の木口３９に前板部と後板部４３が平行となり、前記扉１５の表裏面４５に一対の側板部４７，４９が平行となって前記扉１５の内方に固定される錠ケース１１と、
少なくとも一方の前記側板部を前記前板部から前記後板部４３に渡ってケース外側からケース内側に向け凹ませて形成した溝状凹部１７と、
操作部材の外筒部５７において軸線方向一端側となる後端部５９で直径方向両端側に突出する一対の凸部１９と、
前記溝状凹部１７に形成され、前記外筒部５７の前記各凸部１９を進入させるために溝状凹部内壁６９の両側を切り欠いた一対の凸部進入切欠２１と、
前記溝状凹部内壁６９のケース内側となる溝状凹部内壁背面２３と、
前記溝状凹部内壁背面２３の延長上で前記前板部に穿設されるピン挿入穴２５と、
前記凸部進入切欠２１に挿入される前記凸部１９に穿設され、前記ピン挿入穴２５に挿入されて前記溝状凹部内壁背面２３に沿うピン７１が貫通するピン貫通固定穴２７と、
を具備することを特徴とする。
【０００８】
この錠ケース１１の構造では、錠ケース１１の一対の側板部４７，４９に、前板部から後板部４３に渡ってケース外側からケース内側に向け凹む溝状凹部１７が形成される。このため、錠ケース１１は、折り曲げや歪みに対する剛性が高まる。
外筒部５７は、凸部進入切欠２１に進入させた凸部１９に、溝状凹部内壁背面２３に沿わして挿入したピン７１が貫通する。凸部１９のピン貫通固定穴２７を貫通したピン７１は、ケース内側より、溝状凹部内壁背面２３および側板部ケース内側面によって強固に支持される。これにより、操作部材は、錠ケース１１からの高い引き抜き強度が得られる。
また、一対のピン７１は、ケース内側で溝状凹部内壁背面２３に沿って凸部１９のピン貫通固定穴２７に通される。一対のピン７１は、ケース内側で、溝状凹部１７と平行となってこの溝状凹部１７を挟む補強材として働く。これにより、錠ケース１１は、溝状凹部１７とピン７１とが一体の構造体となって、側板部４７，４９の強度がさらに高められることになる。
しかも、錠ケース１１は、溝状凹部１７、凸部進入切欠２１がプレス加工によって形成される。このため、錠ケース１１は、操作部材を固定するために、ピン以外の別部材を必要とせず、溶接等、作業工数を増大させずに形成できる。
【０００９】
本発明の請求項２記載の錠ケース１１の構造は、請求項１記載の錠ケース１１の構造であって、
前記溝状凹部内壁６９を切り起こして形成され、前記溝状凹部内壁背面２３とで前記ピン７１を挟むピンガイド片２９と、
【００１０】
この錠ケース１１の構造では、溝状凹部内壁背面２３に沿わして挿入したピン７１が、ピンガイド片２９と溝状凹部内壁背面２３とに挟まれ、そして、凸部１９のピン貫通固定穴２７を貫通する。ピン７１は、ケース内側にて溝状凹部内壁背面２３および側板部ケース内側面によって支持され、操作部材が取り付けられる。錠ケース１１は、ピンガイド片２９もプレス加工によって形成でき、錠ケース１１は、操作部材を固定するために、ピン以外の別部材を必要とせず、溶接等、作業工数を増大させずに形成できる。
【００１１】
本発明の請求項３記載の錠ケース１１の構造は、請求項１または２記載の錠ケース１１の構造であって、
一対の前記溝状凹部内壁背面２３のそれぞれに沿って挿入された一対の前記ピン７１の先端部７７を相互に離反方向に撓める乗り上げ段部７５が、前記ケース内側における前記後板部４３側に設けられることを特徴とする。
【００１２】
この錠ケース１１の構造では、一対のピン挿入穴２５のそれぞれから挿入されたピン７１は、凸部１９のピン貫通固定穴２７を貫通した後、後板部４３側に設けられる乗り上げ段部７５に当たる。乗り上げ段部７５に当たった一対のピン７１は、さらに挿入されると、先端が乗り上げ段部７５に乗り上げ、先端同士が互いに離れる方向に撓められ、拡開される。これにより、ピン７１とピン貫通固定穴２７との間に遊びがなくなり、接触状態となって凸部１９ががたつき無くピン７１に固定される。また、乗り上げ段部７５に乗り上げたピン７１は、弾性復元力によって生じる摩擦力で、軸線に沿う方向の移動やがたつきが規制される。
【発明の効果】
【００１３】
本発明に係る請求項１記載の錠ケースの構造によれば、少ない部品数で操作部材を錠ケースに固定することができ、且つ製造が容易であり、しかも、高い強度が得られる。
【００１４】
本発明に係る請求項２記載の錠ケースの構造によれば、ピンガイド片と溝状凹部内壁背面とに挟まれてピンを支持することができる。また、このピンガイド片もプレス加工によって形成することができる。
【００１５】
本発明に係る請求項３記載の錠ケースの構造によれば、真直なピンをピン貫通固定穴を貫通後に撓ませることによって操作部材をがたつきなく錠ケースに固定できる。
【図面の簡単な説明】
【００１６】
【図１】本発明の実施形態に係る錠ケースの構造を備えた錠装置の斜視図である。
【図２】図１に示した錠ケースの分解斜視図である。
【図３】図１に示した錠装置の側断面図である。
【図４】図３のＡ−Ａ線断面図である。
【図５】図３のＢ−Ｂ線断面図である。
【発明を実施するための形態】
【００１７】
以下、本発明に係る実施形態を図面を参照して説明する。
図１は本発明の実施形態に係る錠ケース１１の構造を備えた錠装置１３の斜視図、図２は図１に示した錠ケース１１の分解斜視図、図３は図１に示した錠装置１３の側断面図、図４は図３のＡ−Ａ線断面図、図５は図３のＢ−Ｂ線断面図である。
本実施形態に係る錠ケース１１の構造は、扉１５（図５参照）に固定される錠装置１３に用いて好適となる。錠ケース１１の構造は、錠ケース１１と、溝状凹部１７と、凸部１９と、凸部進入切欠２１と、溝状凹部内壁背面２３と、ピン挿入穴２５と、ピン貫通固定穴２７と、ピンガイド片２９と、を有する。
【００１８】
錠装置１３は、錠ケース１１内に、デッドボルト３１が摺動自在に内設される。デッドボルト３１は、フロント裏板３３およびフロント板３５の進退開口穴３７を介して、木口３９（図５参照）から進退する。デッドボルト３１は、ガイド軸が突設され、錠ケース１１側に形成された長穴にて摺動自在に支持される。デッドボルト３１は、進退方向に直交する断面形状が、開口を下向きとするコ字形状に形成される。デッドボルト内にはカマデッドボルト４１が設けられ、カマデッドボルト４１は錠ケース１１に固定された支軸にて回動自在となる。カマデッドボルト４１には曲溝が形成され、曲溝はデッドボルト３１に固定された連動ピンを兼ねるガイド軸に係合する。これにより、カマデッドボルト４１は、デッドボルト３１の進出に従動し、進退開口穴３７から円弧を描いて突出して、不図示のストライク板の背面に係止する。
【００１９】
錠ケース１１は、扉１５の木口３９に前板部としてのフロント裏板３３と後板部４３（図２参照）が平行となり、扉１５の表裏面４５に一対の側板部である第１側板部４７と第２側板部４９が平行となって扉１５の内方に固定される。第１側板部４７と第２側板部４９は、双方に折り曲げ形成された固定片５１を、フロント裏板３３にビス（図示略）によって共締めされることで、フロント裏板３３と一体に固定される。
【００２０】
それぞれの第１側板部４７，第２側板部４９には、溝状凹部１７が形成される。溝状凹部１７は、少なくとも一方の側板部をフロント裏板３３から後板部４３に渡ってケース外側からケース内側に向け凹ませて形成される。本実施形態において、溝状凹部１７は、図４に示すように、第１側板部４７と第２側板部４９の双方に形成される。
【００２１】
錠ケース１１には、操作部材が固定される。操作部材は、シリンダ錠５３、サムターン５５である。本実施形態において、第１側板部４７にはシリンダ錠５３が固定され、第２側板部４９にはサムターン５５が固定される。シリンダ錠５３およびサムターン５５には、凸部１９が形成される。凸部１９は、操作部材（シリンダ錠５３，サムターン５５）の外筒部５７において、軸線方向一端側となる後端部５９で直径方向両端側に突出して一対のものが形成される。
【００２２】
第１側板部４７および第２側板部４９の溝状凹部１７には、溝状凹部１７の溝底をさらに凹ませた円形状の後端部座面６１が形成される。後端部座面６１には、同心円状に錠機構連結穴６３が穿設される。シリンダ錠５３，サムターン５５は、後端部５９が後端部座面６１に当接状態で配置される。後端部座面６１に配置されたシリンダ錠５３，サムターン５５は、錠機構連結穴６３に配置される錠機構連結部材６５が連動連結される。錠機構連結部材６５は、例えば、錠ケース１１に内蔵される錠機構部を構成するダルマ穴６７である。
【００２３】
溝状凹部１７には、後端部座面６１を挟んで上下に一対の凸部進入切欠２１が形成される。凸部進入切欠２１は、外筒部５７の後端部５９の一対の凸部１９を進入させるために、溝状凹部内壁６９の両側を切り欠いて形成される。つまり、シリンダ錠５３，サムターン５５の後端部５９は、凸部１９を凸部進入切欠２１に進入させることで、後端部座面６１に当接可能となり、上下の凸部１９が、側板部４７，４９の内面側に位置するようになる。
【００２４】
第１側板部４７，第２側板部４９をケース内側に凹ませて形成される溝状凹部１７は、ケース内側に突条状となって突出している。溝状凹部１７は、ケース外側から見ると溝の内側に、一対の溝状凹部内壁６９を有する。この溝状凹部内壁６９は、ケース内側から見ると、上記した突条状の溝状凹部内壁背面２３（図２参照）となっている。
【００２５】
フロント裏板３３には、ピン挿入穴２５が穿設される。本実施形態では、第１側板部用に２つ、第２側板部用に２つの合計４つのピン挿入穴２５が穿設される。ピン挿入穴２５は、溝状凹部内壁背面２３の延長上で穿設される。これらピン挿入穴２５には、それぞれピン７１が挿入される。ピン７１の挿入されたピン挿入穴２５は、フロント裏板３３の表面側に重ねられて木口３９に固定されるフロント板３５によって覆われる。なお、ピン７１のピン挿入穴２５内に位置する後端には、引き抜き時に、治具を引っ掛けるための小さな引っ掛け片７９が形成されている。
【００２６】
シリンダ錠５３，サムターン５５の外筒部５７の後端部５９に、それぞれ一対設けられた凸部１９には、ピン貫通固定穴２７が穿設される。シリンダ錠５３，サムターン５５は、凸部１９を凸部進入切欠２１に進入させて、後端部５９が、溝状凹部１７の後端部座面６１に配置される。それぞれの凸部１９のピン貫通固定穴２７は、ケース内側に位置し、このケース内側において、溝状凹部１７の延在方向に穿設されるようになっている。フロント裏板３３のピン挿入穴２５から挿入されるピン７１は、溝状凹部内壁背面２３に沿って奥側に挿入される。溝状凹部内壁背面２３に沿って挿入されたピン７１は、凸部進入切欠２１からケース内側に突出している凸部１９のピン貫通固定穴２７を貫通する。これにより、シリンダ錠５３とサムターン５５は、ケース内側に位置する凸部１９が、ピン７１によって貫通され、錠ケース１１から離脱が規制される。
【００２７】
第１側板部４７，第２側板部４９のそれぞれの溝状凹部内壁背面２３には、ピンガイド片２９が上下対となって設けられ、両側板部４７，４９で上下左右となり合計４つのピンガイド片２９が設けられる。ピンガイド片２９は、溝状凹部内壁６９を切り起こして形成され、ケース内側において、溝状凹部内壁背面２３とで略Ｌ字状の板部材を組み合わせてピン７１を囲むような略四角形の挿通角穴７３（図４参照）を形成する。
【００２８】
また、本実施形態に係る錠ケース１１の構造は、後板部４３に、乗り上げ段部７５が形成される。この乗り上げ段部７５は、後板部４３において、フロント裏板３３に向かって略矩形に突出して形成される折曲部８１の上下面に形成され、各溝状凹部内壁背面２３に連続するように配置形成される。上下一対の乗り上げ段部７５は、一対の溝状凹部内壁背面２３の間隔幅よりも広幅に形成されて、図３に示すように略階段状の面を形成し、図４に示すように挿通角穴７３を狭めるような形成面となる。そして、この乗り上げ段部７５は、一対の溝状凹部内壁背面２３のそれぞれに沿ってフロント裏板３３側から挿入された一対のピン７１の先端部７７を、相互に離反方向（図３の上下方向）に撓める。
【００２９】
次に、上記の構成を有する錠ケース１１の構造の作用を説明する。
本実施形態に係る錠ケース１１の構造では、錠ケース１１の一対の第１側板部４７，第２側板部４９に、フロント裏板３３から後板部４３に渡って、ケース外側からケース内側に向け凹む溝状凹部１７が形成される。このため、錠ケース１１は、折り曲げや歪みに対しての剛性が高まる。
【００３０】
外筒部５７は、凸部進入切欠２１に進入させた凸部１９に、溝状凹部内壁背面２３に沿わして挿入したピン７１が貫通する。凸部１９のピン貫通固定穴２７を貫通したピン７１は、ケース内側より、溝状凹部内壁背面２３および側板部ケース内側面によって強固に支持される。これにより、シリンダ錠５３およびサムターン５５は、錠ケース１１からの高い引き抜き強度が得られる。
【００３１】
また、一対のピン７１は、ケース内側で溝状凹部内壁背面２３に沿って凸部１９のピン貫通固定穴２７に通される。一対のピン７１は、ケース内側で、溝状凹部１７と平行となってこの溝状凹部１７を挟む補強材として働く。これにより、錠ケース１１は、溝状凹部１７とピン７１とが一体の構造体となって、第１側板部４７，第２側板部４９の強度がさらに高められることになる。
【００３２】
しかも、錠ケース１１は、溝状凹部１７，凸部進入切欠２１，ピンガイド片２９がプレス加工によって１枚の板材から形成される。このため、錠ケース１１は、シリンダ錠５３、サムターン５５を固定するために、ピン以外の別部材を必要とせず、溶接等、作業工数を増大させずに形成できる。
【００３３】
また、この錠ケース１１の構造では、一対のピン挿入穴２５のそれぞれから挿入されたピン７１は、凸部１９のピン貫通固定穴２７を貫通した後、後板部４３に突設される乗り上げ段部７５に当たる。乗り上げ段部７５に当たった一対のピン７１は、さらに挿入されると、先端が乗り上げ段部７５に乗り上げ、一対のピン７１の各先端同士が互いに離れる方向に撓められ、拡開される。これにより、ピン７１とピン貫通固定穴２７との間に遊びがなくなり、接触状態となって凸部１９ががたつき無くピン７１に固定される。また、乗り上げ段部７５に乗り上げたピン７１は、弾性復元力によって生じる摩擦力で、軸線に沿う方向の移動やがたつきが規制される。その結果、シリンダ錠５３，サムターン５５をがたつきなく錠ケース１１に確り固定できる。
【００３４】
従って、本実施形態に係る錠ケース１１の構造によれば、少ない部品数で、且つ製造が容易であり、しかも、高い強度を得ることができる。
【符号の説明】
【００３５】
１１…錠ケース
１５…扉
１７…溝状凹部
１９…凸部
２１…凸部進入切欠
２３…溝状凹部内壁背面
２５…ピン挿入穴
２７…ピン貫通固定穴
２９…ピンガイド片
３３…前板部（フロント裏板）
３９…木口
４３…後板部
４５…表裏面
４７…側板部（第１側板部）
４９…側板部（第２側板部）
５３…操作部材（シリンダ錠）
５５…操作部材（サムターン）
５７…外筒部
５９…後端部
６９…溝状凹部内壁
７１…ピン
７５…乗り上げ段部
７７…先端部
【図１】
2015194018.tif 000003
【図２】
2015194018.tif 000004
【図３】
2015194018.tif 000005
【図４】
2015194018.tif 000006
【図５】
2015194018.tif 000007